(57)【特許請求の範囲】
【請求項１】
作業台や足場枠等の足場に設ける足場用手摺枠において、手摺枠本体に足場空間の内側にのみ開放可能な扉枠を設け、手摺枠本体の上下方向中間部に、足場板上面の周縁部に穿設された係止穴に上方から嵌入係合可能な倒立Ｌ字状のフック部と、足場板の下部外面及び下面に係合する浮き上がり防止片とを一体形成したフック部材を設けると共に、手摺枠本体の下部に足場板の支持脚を抱持可能な抱持部を設けたことを特徴とする足場用手摺枠。
【請求項２】
手摺枠本体の下部に横桟を一体に設け、この横桟に梯子を着脱可能に取付けるようにしたことを特徴とする請求項１記載の足場用手摺枠。
【発明の詳細な説明】
【０００１】
【産業上の利用分野】
本発明は、建物の内装作業などで使用する足場用の作業台や足場枠等の足場に設ける足場用手摺枠に関する。
【０００２】
【従来の技術】
例えば、建物等の建設現場において、躯体を構築した後に内装仕上げや配線作業等を行う場合に、天井等の比較的高い場所での作業には作業台が用いられており、その種作業台として、その上に乗って作業を行う足場板と、これに対し折り畳み可能な支持脚とを備え、使用時には支持脚を拡開して使用位置に直立させるとともに、使用しないときには折り畳んで収納状態にすることができ、さらに支持脚を作業高さに合わせて伸縮できるようにしたものが知られている。
【０００３】
この種の作業台においては、安全作業を確保するために足場板の高さが２ｍを越えるとその周囲に手摺枠を取付けることが義務付けられており、それ以下の高さでも安全確保の観点からは手摺枠を取付けた方が望ましい。
【０００４】
また、各種足場枠においても、高所の足場空間の周囲には手摺枠が取付けられる。
【０００５】
そのような手摺枠としては、足場板上にボルト止めによって手摺枠を固定するようにしたものが知られている。また、足場板に筒穴部を設けておいて手摺枠の脚部をこの筒穴部に嵌合させることによって手摺枠を取付けるようにしたものも知られている。
【０００６】
【発明が解決しようとする課題】
ところが、上記従来の手摺枠においては、出入口を設けたものはなく、そのため足場空間に対して出入する部分の近傍には手摺枠を取付けず、出入口をあけてそれ以外に部分にパイプ部材やクランプ部材等を用いて手摺枠を組み立てる必要があり、手間がかかって作業能率を低下させるという問題があった。また、出入口が開放されたままであるため、作業中に出入口の存在を忘れて出入口から転落する恐れもあるという問題があった。
【０００７】
また、手摺枠の取付けに際してもボルト止め方式の手摺枠にあっては、その取付作業に手間がかかり、また手摺枠の下端だけで支持するので強度的にも弱く、十分な強度を持たせようとすると足場板及び手摺枠の取付部の構成部材重量が大きくなり、足場板の重量及びコストが高くなるという問題があり、筒穴部に嵌合させる方式にあっては、手摺枠の取付作業は簡単であるが、足場板に筒穴部を設ける必要があり、足場板の構成が複雑になって重量及びコストが高くなるという問題もある。
【０００８】
本発明は、上記従来の問題点に鑑み、足場空間に対する出入口を簡単に形成できるとともにその出入口から転落する恐れがなく、また足場板上に上るための梯子を容易に取付けることができ、更に取付作業が簡単でかつ足場板の軽量化を図りつつ十分な強度を確保できる足場用手摺枠を提案することを目的とする。
【０００９】
【課題を解決するための手段】
上記目的を達成するために本発明は、図中の参照符号を付して示すならば、請求項１にあっては、作業台や足場枠等の足場に設ける足場用手摺枠において、手摺枠本体１２に足場空間の内側にのみ開放可能な扉枠３１を設け、手摺枠本体１２の上下方向中間部に足場板２上面の周縁部に穿設された係止穴１６に上方から嵌入係合可能な倒立Ｌ字状のフック部１３と、足場板２の下部外面及び下面に係合する浮き上がり防止片１９とを一体形成したフック部材２０を設けると共に、、手摺枠本体１２の下部に足場板２の支持脚５を抱持可能な抱持部１４を設けてなる構成を採用するものである。
【００１０】
請求項２にあっては、手摺枠本体１２の下部に横桟１２ｂを一体に設け、該横桟１２ｂに梯子３２を着脱可能に取付けるようにした請求項１に記載の構成を採用するものである。
【００１２】
【作用】
本発明の請求項１にあっては、手摺枠本体１２に足場空間内側にのみ開放可能な扉枠３１を設けているので、その扉枠３１を内側に開くことにより足場空間に対して出入することができ、したがってこの手摺枠本体１２を足場に取付けることによって足場空間に対する出入口を形成できるとともに不測に出入口が開放されて転落するというようなこともない。また、手摺枠本体１２の上下方向中間部に設けられたフック部１３を足場板２上面の周縁部に穿設された係止穴１６に上方から嵌入係合させ、手摺枠本体１２の下部に設けられた抱持部１４にて足場板２の支持脚５を抱持することにより、簡単な作業で手摺枠を取付けることができる。その取付状態において、フック部１３が足場板２上面に係合することによって重量が支持されるとともにフック部１３と係止穴１６の係合により水平方向の位置固定が成され、かつ手摺枠本体１２上部に外方に向けて荷重が作用した場合に、それによって手摺枠本体１２に作用するモーメントは上下に間隔をあけて位置するフック部１３と抱持部１４にて２点支持されるので、大きな荷重を支持することができ、十分な強度を持つ手摺枠１１を構成できる。また、足場板２に対しては、元々強度部材にて構成されている周縁部の上面に係止穴１６を形成するだけでよいので、手摺枠１１の取付けのために足場板２の構成の複雑化や重量増加を来さず、その軽量・低コスト化を図ることができる。
【００１３】
請求項２にあっては、手摺枠本体１２の下端の横桟１２ｂに梯子３２を着脱可能に取付けることができ、高い位置の足場板上にのぼるための梯子３２を簡単に取付けることができる。
【００１５】
【実施例】
以下、本発明の足場用手摺枠を適用した作業台の一実施例について、図１〜図９を参照しながら説明する。
【００１６】
全体構成を示す図９において、１は作業者が乗って天井等における作業を行う作業台で、１mm厚程度の薄いアルミニウム型板を接合して構成された足場板２と、足場板２下面の前後左右の四隅部に取付けられた枢着ブラケット３と、前後の枢着ブラケット３、３間に架設された左右の脚取付軸４と、左右の脚取付軸４の前後にそれぞれ取付けられた支持脚５にて構成されている。各支持脚５は、直立状態と足場板２の下面に沿って折り畳まれた収納状態との間で回動可能に脚取付軸４に取付けられている。
【００１７】
各支持脚５は、その基部が脚取付軸４に取付けられた上部脚部材６と、この上部脚部材６に嵌合する下部脚部材７とから成り、脚長調整装置８によって下部脚部材７を上部脚部材６に対して伸縮調整することができるようになっている。この脚長調整装置８の構造は後述の図８に示す梯子の長さ調整装置４８と同構造である。前後の支持脚５、５における上部脚部材６、６の下端部間、及び下部脚部材７の下端間が横桟９ａ、９ｂにて連結され、前後方向に補強されている。また、足場板２の中央部裏面と左右の横桟９ａとの間が、中間部に二つ折り可能な関節部１０ａを有する補強桟１０にて枢支連結されている。
【００１８】
足場板２の四周には各側縁に沿ってその外側にそれぞれ手摺枠１１ａ〜１１ｄが取付けられている。各手摺枠１１ａ〜１１ｄは、大きさや細部の形状・構造は取付位置に応じて多少異なるが基本的に同一構成であり、以下前面の手摺枠１１ａを代表として取り上げ、手摺枠１１としてその詳細構成を説明する。なお、前面の手摺枠１１ａには、出入口３０が設けられるとともに内側にのみ開くことができる扉枠３１が設けられ、かつ出入口３０の下部に梯子３２を掛けられるように構成されており、他の手摺枠１１ｂ〜１１ｄにはこれら出入口３０等が設けられていない。
【００１９】
手摺枠１１は、図１に示すように、アルミパイプを溶接して枠状に組立てられた手摺枠本体１２と、手摺枠本体１２の下端から適当距離の位置に設けられた中間横桟１２ａの両側端近傍に固定されたフック部１３と、手摺枠本体１２の下端に横架された下部横桟１２ｂの両側端部に取付けられた抱持部１４とを備えている。中間横桟１２ａは手摺枠本体１２の両側部にのみ設けられ、中央部で上方に屈曲されて垂直桟１２ｃに連続し、その上端が上部枠１２ｄに連接されており、垂直桟１２ｃ、１２ｃ間に出入口３０が形成されている。
【００２０】
出入口３０の上下方向中間部には扉枠３１が取付けられている。この扉枠３１は、図１及び図２に示すように、角パイプ材を横倒Ｕ字状に弯曲してなる枠体３２と枠体３２の一端部に取付鍔３３によって固着された鍔付パイプ３４とからなり、該パイプ３４が一方側の垂直桟１２ｃに回転自在に嵌合されている。扉枠３１の上下位置は、上部横桟１２ｅと垂直桟１２ｃに嵌合固定されたリング３６ａにて規制されている。
【００２１】
また、図１及び図２に示すように出入口３０の他方側の垂直桟１２ｃには係止クリップ３５によって係止片３７が水平に突設され、扉枠３１の閉鎖時にその遊端が係止片３７に当接してそれ以上回動しないよう規制されている。即ち扉枠３１は、図２に矢印で示すように、また図９に示すように、足場板２上の足場空間の内側に向けてのみ回動可動であり、足場空間上り外側には係止片３７に規制されて回動しないようになっている。なお、３６ｂは、係止クリップ３５を支持する固定リングである。
【００２２】
下部横桟１２ｂの中央部の出入口３０の直下部分には梯子３２の一端に設けられた係合部を安定して掛けられるように支承筒体３８が外嵌配置され、下部横桟１２ｂに嵌合固定されたリング３６ｃにて固定されている。
【００２３】
一方、足場板２の左右両側部の周縁部には、図３に示すように、板厚の厚い断面コ字状のアルミ型材から成る平面形状コ字状の補強枠１５が固着され、各角部の両側にそれぞれ、角部から適当距離の位置の上面に長穴状の係止穴１６が穿設されている。なお、図３において、１７は角部外面に取付けられた緩衝部材、１８は広い作業面を形成するために複数の作業台１を互いに連結して使用する際に使用する連結穴である。
【００２４】
フック部１３は、図４、図５に示すように、中間横桟１２ａに外嵌されてビス等で適当位置に固定される嵌合筒部２０ａを有するフック部材２０にて構成されている。即ち、フック部１３は嵌合筒部２０ａの上部から補強枠１５の上面に係合するとともに係止穴１６に上方から嵌入係合するように倒立Ｌ字状に延出されている。また、フック部材２０には、嵌合筒部２０ａの下部からＬ字状に一体的に延出されて補強枠１５の下部外面と下面に係合する浮き上がり防止片１９が設けられている。
【００２５】
抱持部１４は、図４、図６に示すように、フック部１３を係止穴１６に嵌入係合させて手摺枠本体１２を垂直姿勢にした時に支持脚５を抱持可能に構成されている。具体的には、手摺枠本体１２の下端両側部において、支持脚５に対向するように下部横桟１２ｂの端部に跨がって抱持ブラケット２１が固着され、この抱持ブラケット２１の先端部に支持脚５の略半分が嵌合可能な平面形状コ字状の嵌合部２２が形成され、嵌合部２２に支持脚５を嵌合させた状態でその開放側を開閉可能に閉じる開閉レバー２３が設けられている。即ち、嵌合部２２の先端一側部に開閉レバー２３を回動自在に支持する軸受部２４が、先端他側部に係止穴２５が設けられている。開閉レバー２３は、棒材を平面視コ字状に折曲加工して支持脚５を嵌合部２３との間で抱持するように構成されており、その一端から軸受部２４に回動及び上下動自在に嵌合する枢支軸２６が垂下され、他端から係止穴２５に嵌入係合可能な係止軸２７が垂下されている。枢支軸２６は、軸受部２４にて支持した状態で係止軸２７を係止穴２５に対して係合離脱できる範囲上下動できるように軸受部２４に比して長く形成され、その下端部に抜け止めナット２８が固定されている。
【００２６】
梯子３２は、図７に示すように、複数の踏桟４２を有する梯子本体４１と、その両端部に出退可能に装着された出退部４３ａ、４３ｂにて構成されている。出退部４３ａ、４３ｂの先端近傍には単一の踏桟４２が設けられている。一方の出退部４３ａの先端には支承筒体３８に係合可能なフック状の係合部４４が設けられ、他方の出退部４３ｂの先端には脚ゴム４５が設けられている。係合部４４にはその開放部を開閉可能なロック片４４ａが設けられている。
【００２７】
梯子本体４１と出退部４３ａ、４３ｂの出退構造は、梯子本体４１両側の側枠部材４６に出退部４３ａ、４３ｂ両側の出退部材４７が出退自在に嵌合されるとともに、長さ調整装置４８にて任意の出退位置で固定できるように構成されている。
【００２８】
図８に長さ調整装置４８の詳細を示す。側枠部材４６は筒状部材にて構成され、この側枠部材４６に嵌合される出退部材４７も筒状部材によって形成され、側枠部材４６に嵌合される出退部材４７には、その周壁の一部を長手方向に断面コ字状に窪ませて、この窪み部４７ａの長手方向適当間隔にピン受け段部４９と平坦部５０とが交互に有する部材５１がビス５２などによって一体的に設けられており、該ピン受け段部４９はその上面側が水平な段面４９ａを形成しているのに対してその下面側はテーパー面４９ｂに形成されている。また側枠部材４６の外周面を囲繞するようにして取付ブラケット５３が突出固着され、該取付ブラケット５３にその下部側の調整ピン５４と上部側のがたつき防止ピン５５とが側枠部材４６の側壁を貫通して前記ピン受け段部４９を有する部材５１に対応して設けられ、このうち調整ピン５４は、取付ブラケット５３とばね受け５６との間に介装した圧縮ばね５７によって矢印ａで示すようにピン受け段部４９側に付勢されており、且つ該調整ピン５４にはこれに直交して開放位置維持小片５８が突設され、調整ピン５４をそのつまみ５９を持って圧縮ばね５７の付勢力に抗して矢印ｂで示すように後退開放させ且つ矢印ｃで示すように９０°回動させることによって、該小片５８を、取付ブラケット５３に突設した小片係合部６０に係合させ、調整ピン５４を開放位置に維持できるようになっている。
【００２９】
また、がたつき防止ピン５５は、その基端部側と先端部側とにボルト部６１，６２を設けて、基端部側ボルト部６１を取付ブラケット５３に設けた雌ねじ部６３にねじ込んで、ピン先端部をピン受け段部４９，４９間の平坦部５０に圧接させるようになっていると共に、該基端部側ボルト部６１を雌ねじ部６３から外すことによって、取付ブラケット５３の外周面とがたつき防止ピン５５のつまみ６４との間に設けた圧縮ばね６５に付勢されて、該がたつき防止ピン５５を開放状態に維持することができるようになっている。
【００３０】
従って、長さ調整装置４８を操作する場合には、上述のように開放位置維持小片５８を小片係合部６０に係合して調整ピン５４をピン受け段部４９から開放状態に維持すると共に、がたつき防止ピン５５をも開放状態に維持しておき、この操作によって出退部材４７は側枠部材４６に対して自由に伸縮移動できるから、出退部材４７を側枠部材４６に対して所要の伸縮位置に移動させ、その所要の位置で調整ピン５４を更に矢印ｃで示すように９０°回動させて、それに突設してある開放位置維持小片５８を小片係合部６０から脱出させる。これにより調整ピン５４は圧縮ばね５７に付勢されてピン受け段部４９に係合し、側枠部材４６が受ける荷重を該調整ピン５４とこれが係合するピン受け段部４９で受け止めて出退部材４７の収縮移動を阻止することができる。なおこの場合に出退部材４７を側枠部材４６に対して下方に伸長移動させる際には、調整ピン５４を開放位置に維持させておく必要がなく、単に出退部材４７を下方に伸長移動させることによって、該調整ピン５４が前記ピン受け段部４９のテーパー面４９ｂに接触し、該テーパー面４９ｂに沿って調整ピン４９が圧縮ばね５７の付勢力に抗して後退移動し、テーパー面４９ｂを乗り越えることによって調整ピン４９は自動的に圧縮ばね５７に付勢されてピン受け段部４９の段面４９ａに係合させることができる。
【００３１】
そして側枠部材４６と出退部材４９との間のがたつきを防止するために、がたつき防止ピン５５を圧縮ばね６５の付勢力に抗してその基端部側ボルト部６１を雌ねじ部６３にねじ込み、該防止ピン５５の先端部をピン受け段部４９，４９間の平坦部５０を強く押しつけ、これによってがたつき防止ピン５５の突っ張り作用によって両部材４６，４７間のがたつきの発生を防止するようになっている。
【００３２】
以上の操作によって梯子３２の脚長を伸縮自在に調整することができるようになっている。
【００３３】
以上の構成の作業台１において、天井の内装仕上げや天井内の配線、配管作業などの高い場所の作業を行う時には、図９に示すように、足場板２の下面に折り畳まれていた支持脚５を脚取付軸４を中心に直立状態に回動させると同時に補強桟１０を関節部１０ａで二つ折りされている状態から伸展して直線状態とする。このように補強桟１０を直線状態に伸展させることによって補強桟１０に連結されている支持脚５を使用状態に堅固に維持することができる。次に、脚長調整装置８を操作して各支持脚５の脚長を伸縮自在に調整する。その結果、足場板２の高さが１．２〜１．５ｍ以上となり、安全作業の確保のために手摺枠１１を取付ける必要が生じると、足場板２の周囲に適宜手摺枠１１（１１ａ〜１１ｄ）を取付ける。
【００３４】
作業台１の足場板２の周囲に手摺枠１１を取付ける際には、図５（ａ）に示すように、中間横桟１２ａに取付けられたフック部１３を足場板２の周縁部の補強枠１５上面に形成された係止穴１６に上方から嵌入係合させ、図４及び図５（ｂ）に示す状態とする。このとき、手摺枠本体１２をその下部が足場板２の外方に突出するように斜め姿勢にすることにより浮き上がり防止片１９が補強枠１５に干渉するのを防止する。次に、図５（ｃ）と図４に仮想線で示すように、手摺枠本体１２を垂直姿勢にすると、フック部１３に一体的に連設された浮き上がり防止片１９が補強枠１５の下部の外面と下面に係合し、また手摺枠本体１２の下部に設けられた抱持部１４における抱持ブラケット２１の平面形状コ字状の嵌合部２２に支持脚５が嵌合するので、同じく平面形状コ字状の開閉レバー２３を閉じて支持脚５を抱持する。その際には、図６（ａ）、（ｂ）に示すように、開閉レバー２３を矢印Ａの如く枢支軸２６回りに回動して嵌合部２２の開放側を閉じた後、矢印Ｂの如く一旦持ち上げて他端部の係止軸２７を嵌合部２２先端の係止穴２５に嵌入係合させればよく、簡単な操作で開閉レバー２３により支持脚５を抱持することができる。
【００３５】
以上のように、フック部１３を係止穴１６に上方から嵌入係合させ、抱持部１３にて支持脚５を抱持するだけの簡単な作業で足場板２に手摺枠１１を取付けることができる。
【００３６】
こうして手摺枠１１を取付けた状態において、フック部１３が足場板２上面に係合することによって重量が支持されるとともにフック部１３と係止穴１６の係合により前後左右の水平方向に位置固定され、かつフック部１３に一体的に連設された浮き上がり防止片１９が足場板２の下面に係合することによって手摺枠本体１２の浮き上がりが確実に防止され、何らか要因で手摺枠本体１２に上向きの大きな力が作用した場合にもフック部１３と係止穴１６の係合が外れる恐れがなく、また手摺枠本体１２の上部が内側に倒れた斜め姿勢になると浮き上がり防止片１９の係合が外れ、フック部１３と係止穴１６の係合が外れる可能性もあるが、手摺枠本体１１の下端の抱持部１４にて支持脚５を抱持しているので手摺枠本体１２がこのような斜め姿勢になることはない。
【００３７】
さらに、手摺枠本体１２の上部に外方に向けて荷重が作用した場合には、それによって手摺枠本体１２に作用するモーメントが上下に間隔をあけて位置するフック部１３と抱持部１４にて２点支持されるので、大きな荷重を支持することができ、十分な強度を持つ手摺枠１１を構成できる。
【００３８】
また、足場板２に対しては、その左右両端部に元々設けられている補強枠１５の上面に係止穴１６を形成するだけでよいので、手摺枠１１の取付けのために足場板２の構成の複雑化や重量増加を来さず、その軽量・低コスト化を図ることができる。
【００３９】
こうして、足場板２の周囲に手摺枠１１ａ〜１１ｄを取付けた後、作業台１の足場板２の高さに合わせて梯子３２の長さを上記のようにして調整し、前面の手摺枠１１ａの下部横桟１２ｂの中央部に設けられた支承筒体３８に梯子３２の一端に設けられたフック状の係合部４４を掛けることによって簡単に梯子３２を取付けることができる。
【００４０】
かくして、梯子３２を上り、前面の手摺枠１１ａの出入口３０の扉枠３１を開けることによって作業台１の足場板２上に安全に上ることができ、かつ手摺枠１１ａ〜１１ｄにて囲まれた足場空間内で安全に作業を行うことができる。更に、出入口３０には足場空間内側にのみ開放可能な扉枠３１が設けられているので、その扉枠３１を内側に開くことにより足場空間に対して出入することができるとともに不測に出入口３０が開放されて転落するというようなこともない。
【００４１】
なお、上記実施例では、足場板２の下面側に折り畳み可能な支持脚５を取付けた作業台１の例を示したが、本発明はこの種作業台に限らず、足場板とこれを支持する支持脚を組み合わせて構成される各種足場枠に設けられる手摺枠にも適用可能である。
【００４２】
【発明の効果】
本発明の請求項１によれば、手摺枠本体に足場空間内側にのみ開放可能な扉枠を設けているので、その扉枠を内側に開くことにより足場空間に対して出入することができ、したがってこの手摺枠本体を足場に取付けることによって足場空間に対する出入口を形成できるとともに不測に出入口が開放されて転落するというようなこともない。また、手摺枠本体の上下方向中間部に設けられたフック部を足場板上面の周縁部に穿設された係止穴に上方から嵌入係合させ、手摺枠本体の下部に設けられた抱持部にて足場板の支持脚を抱持することにより、簡単な作業で手摺枠を取付けることができ、かつその取付状態においてフック部が足場板上面に係合することによって重量が支持されるとともにフック部と係止穴の係合により水平方向の位置固定が成され、また手摺枠上部に外方に向けて荷重が作用した場合の手摺枠に作用するモーメントが上下に間隔をあけて位置するフック部と抱持部にて２点支持されるので、大きな荷重を支持することができ、十分な強度を持つ手摺枠を構成できる。また、足場板に対しては、元々強度部材にて構成されている周縁部の上面に係止穴を形成するだけでよいので、手摺枠の取付けのために足場板の構成の複雑化や重量増加を来さず、その軽量・低コスト化を図ることができるなどの効果を発揮する。
【００４３】
請求項２によれば、手摺枠本体の下端の横桟に梯子を着脱可能に取付けることができ、高い位置の足場板上にのぼるための梯子を簡単に取付けることができる。
【図面の簡単な説明】
【図１】本発明の一実施例の足場枠の全体概略構成を示し、（ａ）は正面図、（ｂ）は側面図である。
【図２】図１のＩ−Ｉ矢視拡大断面図である。
【図３】同実施例の足場枠を取付ける作業台の部分平面図である。
【図４】同実施例の足場枠の取付過程の概略側面図である。
【図５】同実施例の足場枠のフック部における取付過程を示す側面図である。
【図６】同実施例の足場枠の抱持部を示し、（ａ）は側面図、（ｂ）は（ａ）のＶ−Ｖ矢視横断平面図である。
【図７】同実施例における梯子を示し、（ａ）は平面図、（ｂ）は正面図である。
【図８】同実施例における梯子の長さ調整装置の縦断正面図である。
【図９】同実施例における手摺枠を取付けた状態の作業台の全体斜視図である。
【符号の説明】
２  足場板
５  支持脚
１１  手摺枠
１２  手摺枠本体
１２ｂ  下部横桟
１３  フック部
１４  抱持部
１６  係止穴
３１  扉枠
３２  梯子
３７  係止片
【図１】
0003540373.tif 000002
【図２】
0003540373.tif 000003
【図３】
0003540373.tif 000004
【図４】
0003540373.tif 000005
【図５】
0003540373.tif 000006
【図６】
0003540373.tif 000007
【図７】
0003540373.tif 000008
【図８】
0003540373.tif 000009
【図９】
0003540373.tif 000010